(57)【要約】【課題】  閉鎖感がなく、ガーデニングなども可能な高い通気性および装飾性を有するブロック塀およびその施工方法を提供する。【解決手段】  複数の第１の化粧ブロック１１１、１１２、１１３を水平方向に配列し、その上に配置された、複数の第２の化粧ブロック１１４、１１５で管状の第１の格子ブロック１３１、１３２を水平方向に挟んで配列し、第１の格子ブロック１３１、１３２の上にあって第２の化粧ブロック１１４、１１５に接して配置されたコーナー型の第２の格子ブロック１４１、１４２と、複数の第３の化粧ブロック１１８、１１９で管状の第３の格子ブロック１３３、１３４を水平方向に挟んで配列した構造体を第３の格子ブロック１３３、１３４が第２の格子ブロック１４１、１４２の上をつなぐように、かつ、第３の化粧ブロック１１８、１１９が第２の化粧ブロック１１４、１１５の上に位置するように配置する。【選択図】        図９
2006028791.tif 000002
【特許請求の範囲】
【請求項１】
化粧ブロックを積み上げて開口部を備えるようにしたブロック塀であって、前記開口部の上部内側に格子ブロックを設け、前記格子ブロックに横方向の鉄筋を挿通し、前記開口部両側の前記化粧ブロック内に延出したことを特徴とするブロック塀。
【請求項２】
化粧ブロックを積み上げて開口部を備えるようにしたブロック塀の施工方法であって、前記化粧ブロックを凹状に積み上げて前記開口部の下枠側を形成し、積み上げられた前記化粧ブロックの上部両側間をつなぐようにして格子ブロックを配設し、前記化粧ブロックの上部両側間に前記格子ブロックを通して横方向に鉄筋を設けることを特徴とするブロック塀の施工方法。
【請求項３】
前記横方向の鉄筋は、予め前記格子ブロックに挿通されたものであることを特徴とする請求項２に記載のブロック塀の施工方法。
【請求項４】
前記開口部の両側に、更に、他の前記格子ブロックを積み上げるとともに、積み上げられた前記格子ブロックと、前記開口部両側の前記化粧ブロックとの間に縦方向に鉄筋を設けることを特徴とする請求項２又は３に記載のブロック塀の施工方法。
【発明の詳細な説明】
【技術分野】
【０００１】
本発明は、ブロック塀および格子ブロックを使用したブロック塀およびその施工方法に関する。
【背景技術】
【０００２】
コンクリート化粧ブロックを組積みしたブロック塀は、施工が簡単で低コストのため住宅や工場などの塀として広く使用されている。このブロック塀は、例えば、コンクリート製の基礎上に多数のコンクリート化粧ブロックを芋積みまたは千鳥積みしながら、基礎にあらかじめ所定間隔で立てられている縦筋をコンクリート化粧ブロックの空洞または端部の縦溝に挿通し、かつ適当段ごとに横筋を挿入し、また上下左右の端面に目地モルタルを付けて化粧ブロック同士を接合し、縦筋の挿通空洞および横筋の挿入溝にそれぞれコンクリート又はモルタルを充填して造られる。そして、化粧ブロックに設けた縦筋挿通用縦孔に縦筋を挿通して縦孔の壁面と縦筋との間に空隙を形成し、上下左右に隣接する化粧ブロックを弾性接着剤で接合して強度補強する構成が提案されている（たとえば特許文献１参照）。
【特許文献１】特開２００１−２６２８７０号公報（（０００３）、（０００４）〜（０００５）、図４、図５など）
【発明の開示】
【発明が解決しようとする課題】
【０００３】
特許文献１などに示されている従来のブロック塀は、雨水や酸化対策など強度の点では問題ないが、閉鎖感が強く、また、屋外との通気性や装飾性について考慮がされていない。このため、化粧ブロック材に装飾性を加味した通気孔を形成した化粧ブロック材を所々に配置することも行われているが、閉鎖感という課題は解消されない。
【０００４】
本発明はこのような課題を解決するもので、閉鎖感がなく、ガーデニングなども可能な高い通気性および装飾性を有するブロック塀およびその施工方法を提供することを目的とする。
【課題を解決するための手段】
【０００５】
請求項１に記載のブロック塀は、化粧ブロックを積み上げて開口部を備えるようにしたブロック塀であって、前記開口部の上部内側に格子ブロックを設け、前記格子ブロックに横方向の鉄筋を挿通させて、前記開口部両側の前記化粧ブロック内に延出させたことを特徴とする。
また、本発明のブロック塀の施工方法は、請求項２に記載の通り、化粧ブロックを積み上げて構成される開口部を備えたブロック塀の施工方法であって、前記化粧ブロックを凹状に積み上げて前記開口部の下枠側を形成し、積み上げられた前記化粧ブロックの上部両側間をつなぐようにして格子ブロックを配設し、前記化粧ブロックの上部両側間に前記格子ブロックを通して横方向に鉄筋を設けることを特徴とする。
また、請求項３に記載のブロック塀の施工方法は、請求項２に記載のブロック塀の施工方法において、前記横方向の鉄筋は、予め前記格子ブロックに挿通されていることを特徴とする。
また、請求項４に記載のブロック塀の施工方法は、請求項２又は３に記載のブロック塀の施工方法において、前記開口部の両側の上下方向に、更に、前記格子ブロックを積み上げるとともに、積み上げられた前記格子ブロックと、前記開口部両側の前記化粧ブロックとの間に縦方向に鉄筋を設けるようにすることを特徴とする。
【発明の効果】
【０００６】
本発明によれば、ブロック塀に開口を設けるとともに、その内側に窓枠状に格子ブロックを設けることにより、無味乾燥なブロック塀にその強度を保ったままアクセントを与え、さらに閉鎖感を解消することができる。
また、格子ブロックに草花などを飾ることによりガーデニングなども可能となり、しかも窓により高い通気性を持たせることができる。したがって、ブロック塀としてのグレードを高く維持することができる。
また、施工方法も従来の施工方法とほとんど変わらない簡単な方法で行うことができる。
【発明を実施するための最良の形態】
【０００７】
本発明の第１の実施の形態によるブロック塀は、化粧ブロックを積み上げて開口部を備えるようにしたブロック塀であって、前記開口部の上部内側に格子ブロックを設け、前記格子ブロックに横方向の鉄筋を挿通し、前記開口部両側の前記化粧ブロック内に延出したものである。本実施の形態によれば、ブロック塀に開口部を設けた場合でも、ブロック塀全体の強度を低下させることがない。また、格子ブロック内に鉄筋を挿通したため、開口部の上部内側に表れる化粧ブロックの端面を隠すことができるので、化粧ブロックの端面を美的に処理等する必要がない。尚、格子ブロックは、開口部の上部内側だけでなく、内側全部に設けるようにしてもよい。
格子ブロックに挿通される横方向の鉄筋は、開口部両側の化粧ブロックに挿通できる形状、長さであれば特に制限はない。尚、格子ブロックの両端面から２０〜４０ｃｍの範囲で鉄筋が延出されることが好ましい。
また、格子ブロックの大きさについては特に制限はないが、化粧ブロックの縦方向及び又は横方向の寸法よりも短い格子ブロックを使用し、化粧ブロックと同じモルタル等により接合することが好ましい。開口部の印象が際立ち、しかも、化粧ブロックと同じ材料により接合することで、開口部と、ブロック塀全体との質感や色合い等の統一を図ることができるからである。
また、横方向に配置される格子ブロックは断面口字型の管状ブロックとすることが好ましい。これにより、各格子ブロックと周囲の化粧ブロックとの接触面積を大きくすることができるので、ブロック塀の強度を保ちつつ積み重ね施工を簡単に行うことができる。また、縦方向に格子ブロックを配置する場合には、断面コ字型のコーナー型化粧ブロックとすることが好ましい。これにより、各格子ブロックと周囲の化粧ブロックとの接触面積を大きくすることができるので、開口部を備えたブロック塀の強度を高めることができる。
尚、前記格子ブロックは、開口の少なくとも内側に配置されればよく、前記格子ブロックの一部が前記化粧ブロックにより構成された壁面から突出していてもよい。
また、本実施の形態によるブロック塀を構成する化粧ブロック及び／又は格子ブロックは、ショット加工されることが好ましい。これにより、格調の高いブロック塀とすることができるからである。また、ブロック塀の開口部に、アルミ等の格子状物を嵌め込むようにすれば、従来の金属製のフェンスの代用としても利用することができる。
尚、本実施の形態によるブロック塀は、既存のブロック塀を利用しても造ることができる。
また、本発明の第２の実施の形態によるブロック塀の施工方法は、化粧ブロックを積み上げて開口部を備えるようにしたブロック塀の施工方法であって、前記化粧ブロックを凹状に積み上げて前記開口部の下枠側を形成し、積み上げられた前記化粧ブロックの上部両側間をつなぐようにして格子ブロックを配設し、前記化粧ブロックの上部両側間に前記格子ブロックを通して横方向に鉄筋を設けるものである。本実施の形態によれば、開口部の上部内側に化粧ブロックの側面が表れることがないので、この側面を切削等の処理する必要がない。しかも、開口を有するブロック塀の強度を保ったまま、閉鎖感がなく、ガーデニングなども可能な構成にすることができる。尚、格子ブロックは、開口部の上部内側だけでなく、内側全部に設けるようにしてもよい。
また、横方向に配置される格子ブロックは断面口字型の管状ブロックとすることが好ましい。これにより、各格子ブロックと周囲の化粧ブロックとの接触面積を大きくすることができるので、ブロック塀の強度を保ちつつ積み重ね施工を簡単に行うことができる。また、縦方向に格子ブロックを配置する場合には、断面コ字型のコーナー型化粧ブロックとすることが好ましい。これにより、各格子ブロックと周囲の化粧ブロックとの接触面積を大きくすることができるので、開口部を備えたブロック塀の強度を高めることができる。
また、本発明の第３の実施の形態によるブロック塀の施工方法は、第２の実施の形態において、前記横方向の鉄筋は、予め前記格子ブロックに挿通されたものである。本実施の形態によれば、後から鉄筋を挿通する必要がないため施工が容易になる。尚、鉄筋は、格子ブロックに挿通されていれば特に制限はないが、鉄筋の周囲にモルタル等が充填されていることが好ましい。また、更に、前記横方向の鉄筋を、予め、前記化粧ブロック側に折り曲げておいて、開口部両側の前記化粧ブロックに挿入、或いは、前記化粧ブロックの側方向に配置し、必要に応じてモルタル等により固定すれば、施工が極めて容易となる。また、ブロック塀の補強にもつながる。
また、本発明の第４の実施の形態によるブロック塀の施工方法は、第２又は第３の実施の形態において、前記開口部の両側に、更に、他の前記格子ブロックを積み上げるとともに、積み上げられた前記格子ブロックと、前記開口部両側の前記化粧ブロックとの間に縦方向に鉄筋を設けたものである。本実施の形態によれば、積み上げられた格子ブロックの強度の向上を図ることができ、しかも、この鉄筋は、格子ブロックにより隠されるため美観も優れる。
【実施例】
【０００８】
以下本発明の実施例について図面とともに詳細に説明する。
図１は本発明の実施例におけるブロック塀の全体構成を示す外観斜視図である。ブロック塀１０は、コンクリートや樹脂製の化粧ブロック１１を芋積みや千鳥積みなどにより縦横に積み上げた構成であり、その一部の化粧ブロック１１を枠体１２で置換して構成される。枠体１２は、図２に示すように、中心に貫通孔１３０を有する断面が口字型の格子ブロック１３が水平方向の上下に配列され、両側部には図３に示すような凹部１４０を有する断面がコ字型の格子ブロック１４が配列され、格子ブロック１３および格子ブロック１４で囲まれた中央部には開口１５が形成されている。
断面が口字型の格子ブロック１３および断面がコ字型の格子ブロック１４の大きさは特に規定されないが、化粧ブロック１１の大きさより小さい関係に保たれることが好ましい。たとえば、断面が口字型の格子ブロック１３は、貫通孔１３１の軸方向の長さＬ１が、化粧ブロック１１の長さＬ０より小さいＬ０／２に形成され、格子ブロック１３を長さ方向に２つ連結させたときの長さが化粧ブロック１１の長さＬ０と等しくなるように形成される。また、高さＨ１は化粧ブロック１１の高さＨ０より小さいＨ０／２に形成される。同様に、断面がコ字型の格子ブロック１４は、凹部１４０の軸方向の長さＬ２が化粧ブロック１１の高さＨ０と等しいＬ２＝Ｈ０に形成される。高さＨ２は化粧ブロック１１の長さＬ０より小さいＬ０／４、すなわち、格子ブロック１３の軸方向の長さＬ１に対してはＬ１／２に形成される。もちろんこれら以外の大きさであっても良い。
【０００９】
つぎに、実施例におけるブロック塀の施工方法を説明する。図４〜図９は施工方法の流れを説明する正面図である。なお、図４〜図９においては、図１における枠体１２の周囲部分のみを図示している。その他の部分の化粧ブロック施工方法は周知であるので、説明を省略する。
図４において、まず、枠体１２の下側となる化粧ブロック壁を施工する。化粧ブロック壁は、コンクリートや樹脂製の化粧ブロック１１を複数個、図４では３個の化粧ブロック１１１、１１２、１１３をその長さ方向に連結させる。このとき、各化粧ブロック１１１、１１２、１１３内の貫通孔に鉄筋２１を挿通し、鉄筋２１の周囲における化粧ブロック１１１、１１２、１１３内の貫通孔にモルタルを充填して固化させる。
つぎに、図５に示すように、化粧ブロック１１１の上に化粧ブロック１１４、化粧ブロック１１３の上に化粧ブロック１１５を積み重ね、化粧ブロック１１２の上に図２に示した断面が口字型の格子ブロック１３１、１３２を２つ配置し、格子ブロック１３１、１３２の両側を化粧ブロック１１４と化粧ブロック１１５で挟んで固定する。格子ブロック１３１、１３２の長さＬ１は化粧ブロック１１２の長さＬ０の１／２であるので、２つの格子ブロック１３１、１３２を連結した長さは化粧ブロック１１２の長さＬ０と等しくなる。また、２つの格子ブロック１３１、１３２の高さＨ１は化粧ブロック１１４、１１５の高さＨ０の１／２である。
２つの格子ブロック１３１、１３２は、図１０（ａ）、（ｂ）に示すように、モルタルやセメントなどの接着剤２２で貼り合わされ、同図（ｃ）に示すように、各々の貫通孔１３０内に鉄筋２３、２４が挿通され、鉄筋２３、２４の周りの空間にはモルタル２５が充填されている。接着剤２２を使用せずにモルタル２５で格子ブロック１３１および格子ブロック１３２を接着しても良い。格子ブロック１３１、１３２に鉄筋２３、２４を挿通させることにより、ブロック塀１０に枠体１２を設けても強度が低下することがなく、強度を保つことができる。
なお、鉄筋２３、２４は、格子ブロック１３１、１３２の両側の化粧ブロック１１４、１１５内にも延びて挿通するようにしても良い。また、鉄筋２３、２４は１本でも良い。
つぎに、図６に示すように、化粧ブロック１１４の上に化粧ブロック１１６、化粧ブロック１１５の上に化粧ブロック１１７を積み重ねる。
つぎに、図７に示すように、格子ブロック１３１の上に図に示した断面がコ字型の格子ブロック１４１、格子ブロック１３２の上に断面がコ字型の格子ブロック１４２を配置する。格子ブロック１４１、１４２はそれぞれその凹部１４０が化粧ブロック１１４、１１６および化粧ブロック１１５、１１７側に向くように配置され、図１１に示すように、格子ブロック１４１は化粧ブロック１１４、１１６に、格子ブロック１４２は化粧ブロック１１５、１１７にそれぞれ接着剤２６により接着される。なお、図１１には格子ブロック１４２および化粧ブロック１１５、１１７側を示すが、格子ブロック１４１および化粧ブロック１１４、１１６側も同様である。
化粧ブロック１１５、１１７の格子ブロック１４２側には鉄筋２７が挿通され、その周囲にはモルタル２８が充填される。接着剤２６を使用せずにモルタル２８で格子ブロック１４２と化粧ブロック１１５、１１７との接着を行っても良い。
つぎに、図８に示すように、化粧ブロック１１６の上に更に化粧ブロック１１８、化粧ブロック１１７の上に化粧ブロック１１９を積み重ねる。また、格子ブロック１４１の上に更に断面がコ字型の格子ブロック１４３、格子ブロック１４２の上に更に断面がコ字型の格子ブロック１４４を積み重ねる。格子ブロック１４３および格子ブロック１４４の積み重ねは、図１１で説明した格子ブロック１４２および格子ブロック１４４の積み重ねと同様にして行われる。図８における化粧ブロック１１８、１１９の積み重ねおよび格子ブロック１４１、１４２の積み重ねは枠体１２の高さを高くしたい場合に行われ、枠体１２の開口１５の高さを高くしない場合には省略しても良い。
つぎに、図９に示すように、化粧ブロック１１８および化粧ブロック１１９の間で、かつ格子ブロック１４３、１４４の上に、図２に示した断面が口字型の格子ブロック１３３、１３４を２つ連結して配置し、格子ブロック１３３、１３４の両側を化粧ブロック１１８と化粧ブロック１１９で挟んで固定する。格子ブロック１３３、１３４の寸法は格子ブロック１３１、１３２と同一である。
２つの格子ブロック１３３、１３４は、図１２（ａ）、（ｂ）に示すように、モルタルやセメントなどの接着剤３２で貼り合わされ、各々の貫通孔１３０内に鉄筋２９、３０が挿通され、鉄筋２９、３０の周りの空間には図１２（ｃ）に示すようにモルタル３１が充填されている。鉄筋２９、３０は、格子ブロック１３３、１３４の両側の化粧ブロック１１８、１１９内にも延びて挿通しており、その周りの空間には同様にモルタル３１が充填されている。したがって、枠体１２の強度が大きくなり、枠体１２が存在してもブロック塀１０の強度が低下することがなく、十分強度を保つことができる。なお、鉄筋２９、３０は１本でも良い。また、接着剤３２を使用せずにモルタル３１で格子ブロック１３３および格子ブロック１３４を接着しても良い。
以上の工程により、ブロック塀１０の一部の化粧ブロックを、断面が口字型の格子ブロック１３１、１３２、１３３、１３４および断面がコ字型の格子ブロック１４１、１４２、１４３、１４４により構成され、中央部に開口１５が形成された枠体１２で置換したブロック塀１０が完成する。
ブロック塀１０に枠体１２を設けることにより、無味乾燥なブロック塀にアクセントを与え、閉鎖感を解消することができる。また、枠体１２に草花などを飾ることによりガーデニングなども可能となり、しかも開口１５により高い通気性を持たせることができる。したがって、ブロック塀としてのグレードを高く維持することができる。
【００１０】
以上の説明では、第１の格子ブロック１３１、１３２および第３の格子ブロック１３３、１３４として断面口字型の管状ブロックを使用し、第２の格子ブロック１４１、１４２および第４の格子ブロック１４３、１４４として断面コ字型のコーナー型化粧ブロックを使用した例について説明したが、第１の格子ブロック１３１、１３２および第３の格子ブロック１３３、１３４として、断面がリング状の円筒形状あるいは断面が多角形状の多角筒状などの管状ブロックを使用しても良い。また、第３の格子ブロック１３３と１３４とを一体成型したものを使用してもよい。また、第２の格子ブロック１４１、１４２および第４の格子ブロック１４３、１４４として、断面の一部が欠如して凹部が形成された円筒形状あるいは多角筒状のコーナー型化粧ブロックを使用しても良い。
また、枠体１２の開口１５は、通気性を持たせる場合は透孔とするが、防犯上の理由などから開口１５を大きくしたくない場合には、小孔を形成した不透明板やガラス板などを開口１５に貼り付けても良い。
また、枠体１２の大きさは、第１〜第４の格子ブロックの大きさや使用個数を変えることにより自由に変更することができる。
【産業上の利用可能性】
【００１１】
本発明によるブロック塀およびその施工方法は、住宅や工場などの敷地を隣家や道路から仕切るためのブロック塀として有用である。特に、ブロック塀でありながら、通気性や装飾性に優れるとともに、ガーデニング用の草木や鉢などを飾ることができるので、住宅地や観光地など景色を損なうことを嫌う地域におけるグレードの高いブロック塀として有用である。
【図面の簡単な説明】
【００１２】
【図１】本発明の実施例におけるブロック塀の全体構成を示す外観斜視図
【図２】本発明の実施例におけるブロック塀に使用される管状の格子ブロックの一例を示す斜視図
【図３】本発明の実施例におけるブロック塀に使用されるコーナー型の格子ブロックの一例を示す斜視図
【図４】本発明の実施例におけるブロック塀の施工工程を説明する正面図
【図５】本発明の実施例におけるブロック塀の施工工程を説明する正面図
【図６】本発明の実施例におけるブロック塀の施工工程を説明する正面図
【図７】本発明の実施例におけるブロック塀の施工工程を説明する正面図
【図８】本発明の実施例におけるブロック塀の施工工程を説明する正面図
【図９】本発明の実施例におけるブロック塀の施工工程を説明する正面図
【図１０】本発明の実施例におけるブロック塀の枠体下部の施工工程を説明する図で、（ａ）は正面図、（ｂ）は平面図、（ｃ）はＸ−Ｘ'線断面図
【図１１】本発明の実施例におけるブロック塀の枠体側部の施工工程を説明する図で、（ａ）は正面図、（ｂ）はY−Ｙ'線断面図
【図１２】本発明の実施例におけるブロック塀の枠体上部の施工工程を説明する図で、（ａ）は正面図、（ｂ）は平面図、（ｃ）はＺ−Ｚ'線断面図
【符号の説明】
【００１３】
１０  ブロック塀
１１  化粧ブロック
１２  枠体
１３  断面が口字型の格子ブロック
１４  断面がコ字型の格子ブロック
１５  開口
２２、２６、３２  接着剤
２１、２３、２４、２７、２９、３０  鉄筋
２５、２８、３１  モルタル
１１１〜１１９  化粧ブロック
１３０  貫通孔
１３１〜１３４  断面が口字型の格子ブロック
１４０  凹部
１４１〜１４４  断面がコ字型の格子ブロック
【図１】
2006028791.tif 000003
【図２】
2006028791.tif 000004
【図３】
2006028791.tif 000005
【図４】
2006028791.tif 000006
【図５】
2006028791.tif 000007
【図６】
2006028791.tif 000008
【図７】
2006028791.tif 000009
【図８】
2006028791.tif 000010
【図９】
2006028791.tif 000011
【図１０】
2006028791.tif 000012
【図１１】
2006028791.tif 000013
【図１２】
2006028791.tif 000014